(57)【特許請求の範囲】
【請求項１】
平断面が略長方形状の筐体の内部に貯湯タンクを収納し、立壁面に沿って設けられた洗面器の下方に取り付けられる貯湯式電気温水器において、
前記貯湯タンクは正面から見たときに横長形状であって、その長手方向の断面は上下方向が長軸となるように偏平しており、
該貯湯タンクへ水を導入するための外部給水配管を接続するための給水接続口及び該貯湯タンクから湯を導出するための外部出湯配管を接続するための出湯接続口を、前記筐体の正面と平行な領域で回動可能に設けたことを特徴とする貯湯式電気温水器。
【請求項２】
前記筐体内で前記貯湯タンクの偏平している長軸方向は、前記筐体の前後方向に対して傾斜していることを特徴とする請求項１記載の貯湯式電気温水器。
【請求項３】
前記筺体の前後方向に対して傾斜している前記貯湯タンクの上部と前記筐体の内側面との間に形成された上部楔状空間に前記出湯接続口が配置され、前記貯湯タンクの下部と前記筐体の内側面との間に形成された下部楔状空間に前記給水接続口が配置されていることを特徴とする請求項２記載の貯湯式電気温水器。
【請求項４】
前記給水接続口から前記貯湯タンク内へ水を導入するためのタンク給水口へと繋がる給水経路を前記下部楔状空間に配置し、前記出湯接続口へ前記貯湯タンクからの湯を導出するためのタンク出湯口から繋がる給湯経路を前記上部楔状空間に配置したことを特徴とする請求項３に記載の貯湯式電気温水器。
【請求項５】
前記タンク給水口と前記タンク出湯口とは、前記貯湯タンクを正面から見たときに左右方向の対角線上に配置したことを特徴とする請求項４に記載の貯湯式電気温水器。
【発明の詳細な説明】
【技術分野】
【０００１】
本発明は、平断面が略長方形状の筐体の内部に貯湯タンクを収納し、洗面器の下方の立壁面に取り付けられる貯湯式電気温水器に関する発明である。
【背景技術】
【０００２】
従来、平断面が略楕円形状の貯湯タンクと、この貯湯タンクを収納した、平断面が略長方形状の筺体を備え、貯湯タンク周りの空間の利用効率を向上した貯湯式電気温水器がある（例えば、特許文献１参照。）。
【０００３】
この貯湯式電気温水器においては、貯湯タンクをその平断面の長軸方向が筺体の平断面の長辺方向に対して傾斜するとともに、筺体の平断面における一方の短辺に近接し他方の短辺から離間した状態で筺体内に収納することにより、貯湯タンクの周りの空間を大きなまとまりのあるものとし、この空間に通水管等の部材を集中的に配置することでコンパクト化を実現している。
【先行技術文献】
【特許文献】
【０００４】
【特許文献１】特開２００８−７５９８２号公報（図４）
【発明の概要】
【発明が解決しようとする課題】
【０００５】
しかしながら、近年、使い勝手の向上のために公共施設における洗面所やトイレ等への洗面器の設置数が増える傾向にある。そのため、洗面器間の間隔が狭くなり、個々の洗面器下方への電気温水器の設置が困難な状況になりつつある。また、施工スペースが狭く、施工も難しいものとなっている。
本発明は、上記問題を解決するためになされたもので、本発明の課題は、施工性を確保しつつ、洗面器間の間隔が狭くても設置可能な電気温水器を提供することを目的とするものである。
【課題を解決するための手段】
【０００６】
上記目的を達成するために請求項１記載の発明によれば、平断面が略長方形状の筐体の内部に貯湯タンクを収納し、立壁面に沿って設けられた洗面器の下方に取り付けられる貯湯式電気温水器において、前記貯湯タンクは正面から見たときに横長形状であって、その長手方向の断面は上下方向が長軸となるように偏平しており、該貯湯タンクへ水を導入するための外部給水配管を接続するための給水接続口及び該貯湯タンクから湯を導出するための外部出湯配管を接続するための出湯接続口を、前記筐体の正面と平行な領域で回動可能に設けた造とした。
従って、貯湯タンクは正面から見たときに横長形状であるので、貯湯式電気温水器の上下方向の高さ寸法を短くでき、また、貯湯タンクの長手方向の断面は上下方向が長軸となるように偏平しているので貯湯式電気温水器の前後方向の厚み寸法を薄くでき、貯湯式電気温水器のコンパクト化が実現できる。そして、給水接続口及び出湯接続口を筐体の正面と平行な領域で回動可能としているので、貯湯式電気温水器がコンパクトであることと相俟って施工に必要なスペースを小さくすることができるので、施工性を確保しつつ、洗面器間の間隔が狭くても設置可能な電気温水器を提供することができる。
【０００７】
また、請求項２記載の発明によれば、前記筐体内で前記貯湯タンクの偏平している長軸方向は、前記筐体の前後方向に対して傾斜している構造とすることにより、貯湯タンクの上下の空間を二つの大きなまとまりのあるものとすることができ、そこに機能部品を集約して配置することで、貯湯式電気温水器をコンパクト化することができる。
【０００８】
また、請求項３記載の発明によれば、前記筺体の前後方向に対して傾斜している前記貯湯タンクの上部と前記筐体の内側面との間に形成された上部楔状空間に前記出湯接続口が配置され、前記貯湯タンクの下部と前記筐体の内側面との間に形成された下部楔状空間に前記給水接続口が配置されていることにより、回動させるためにサイズが大きな部品となる給水接続口と出湯接続口とを貯湯タンクの上下の空間に振り分けて配置していることで、貯湯式電気温水器をコンパクト化することができる。
【０００９】
また、請求項４記載の発明によれば、前記給水接続口から前記貯湯タンク内へ水を導入するためのタンク給水口へと繋がる給水経路を前記下部楔状空間に配置し、前記出湯接続口へ前記貯湯タンクからの湯を導出するためのタンク出湯口から繋がる給湯経路を前記上部楔状空間に配置したことにより、給水経路と給湯経路とを貯湯タンクの上下の空間に振り分けて配置していることで、貯湯式電気温水器をコンパクト化することができる。
【００１０】
また、請求項５記載の発明によれば、前記タンク給水口と前記タンク出湯口とは、前記貯湯タンクを正面から見たときに左右方向の対角線上に配置したことにより、正面から見たときに横長形状である貯湯タンクであっても、タンク給水口からタンク出湯口へのショートカットを防いで、出湯性能を向上させることができる。
【発明の効果】
【００１１】
本発明によれば、貯湯式電気温水器の更なるコンパクト化が実現できるとともに、施工に必要なスペースを最小とすることができるので、施工性を確保しつつ、洗面器間の間隔が狭くても設置可能な電気温水器を提供することができるという効果がある。
【図面の簡単な説明】
【００１２】
【図１】本発明を適用した貯湯式電気温水器の施工態様を示す正面図である。
【図２】本発明を適用した貯湯式電気温水器の施工態様を示す側面図である。
【図３】本発明を適用した貯湯式電気温水器の外観を示す斜視図である。
【図４】本発明を適用した貯湯式電気温水器の内部構造を示す正面図である。
【図５】本発明を適用した貯湯式電気温水器の内部構造を示す斜視図である。
【図６】本発明を適用した貯湯式電気温水器の内部構造を示す側面図である。
【図７】本発明を適用した貯湯式電気温水器の内部構造の模式図である。
【図８】本発明を適用した貯湯式電気温水器の給水接続口及び出湯接続口の動作を示す正面図である。
【図９】本発明を適用した貯湯式電気温水器の第２の施工態様を示す正面図である。
【図１０】本発明を適用した貯湯式電気温水器の第３の施工態様を示す正面図である。
【発明を実施するための形態】
【００１３】
以下に、本発明の実施例について図面を参照しながら説明する。
図１は本発明を適用した貯湯式電気温水器の施工態様を示す正面図であり、図２は本発明を適用した貯湯式電気温水器の施工態様を示す側面図である。
【００１４】
図１及び図２に示すように、貯湯式電気温水器３は、立壁面Ｗに沿って設けられた壁掛式洗面器２の下方に設置されており、洗面器２に設置された水栓１と外部出湯配管４で接続されている。
【００１５】
また、貯湯式電気温水器３は、立壁面Ｗに突設された止水栓６と外部給水配管５で接続されるとともに、立壁面Ｗに配置された電源コンセント２１と電源コード８で接続され、水栓１に備えられた光電センサー２０とセンサーコード７で接続されている。
【００１６】
さらに、水栓１には湯水切り替えスイッチ等（図示しない）が設けられた水栓操作盤２６が備えられ、貯湯式電気温水器３には沸き上げ運転スイッチ等（図示しない）が設けられた電気温水器操作盤２４が備えられている。
【００１７】
また、貯湯式電気温水器３には、外部出湯配管４を通じて水栓１へ供給されるお湯の温度を調節することができる温度調節ダイヤル２５が備えられている。
【００１８】
図３は、本発明を適用した貯湯式電気温水器の外観を示す斜視図である。
【００１９】
図３に示すように、貯湯式電気温水器３の筺体２７は上下方向に縦長な矩形状であって、平断面が略長方形状をした薄型形状をしており、その正面には電気温水器操作盤２４を、側面には温度調節ダイヤル２５を備えている。
なお、平断面とは、床面Ｆ（図１，図２参照）と平行な面における断面を表し、正面とは図１における紙面方向を表し、この図１を基準として、上下、左右を表す。
【００２０】
図４は、本発明を適用した貯湯式電気温水器の内部構造を示す正面図である。図５は、本発明を適用した貯湯式電気温水器の内部構造を示す斜視図である。図６は、本発明を適用した貯湯式電気温水器の内部構造を示す側面図である。図７は、本発明を適用した貯湯式電気温水器の内部構造の模式図である。
【００２１】
図４に示すように、貯湯式電気温水器３に収納されている貯湯タンク９は、正面から見たときに、上下方向の高さ寸法ａ（１６０ｍｍ）に対して左右方向の幅寸法ｂ（２００ｍｍ）の方が長い横長形状であって、図６に示すように、側面から見ると、上下方向の長軸ｃ（１６０ｍｍ）に対して前後方向の短軸ｄ（１１０ｍｍ）の方が短くなるように偏平している。このように、貯湯タンク９は正面から見たときに横長形状であるので、貯湯式電気温水器３の上下方向の高さ寸法を短くでき、また、貯湯タンク９の長手方向である側面から見た断面は上下方向が長軸となるように偏平しているので、貯湯式電気温水器３の前後方向の厚み寸法を薄くでき、貯湯式電気温水器３のコンパクト化が実現できる。
【００２２】
また、外部出湯配管４が接続される出湯接続口１５が貯湯タンク９の右側上方に設けられるとともに、外部給水配管５が接続される給水接続口１２が貯湯タンク９の左側下方に設けられている。
【００２３】
さらに、貯湯タンク９の右側下部にはその貯湯タンク９への水の導入口となるタンク給水口１０を備え、その左側には、湯側電磁弁１９と逆止弁１３と給水接続口１２とから構成される給水経路を備えており、図７に示すように、外部給水配管５から給水された水は、給水接続口１２→逆止弁１３→湯側電磁弁１９→タンク給水口１０の順で貯湯タンク９へ導入される。なお、湯側電磁弁１９とタンク給水口１０との間から分岐して後述する混合バルブ１７へと至る混合給水管３０が設けられており、また、逆止弁１３と湯側電磁弁１９との間から分岐して出湯接続口１５へと至るバイパス給水管３１が設けられており、このバイパス給水管３１には水側電磁弁１４が設けられている。
【００２４】
また、貯湯タンク９の左側上部にはその貯湯タンク９からの湯の導出口となるタンク出湯口１１を備え、その右側には、逆止弁１６と混合バルブ１７と出湯接続口１５とから構成される給湯経路を備えており、図７に示すように、タンク出湯口１１→逆止弁１６→混合バルブ１７→出湯接続口１５の順で貯湯タンク９から導出された湯が外部出湯配管４へ流出するように構成されている。
【００２５】
なお、タンク給水口１０から貯湯タンク９内へ導入された水は、タンク給水口１０の近傍に配置されたヒーター１８で出湯に適した３６℃よりも高温である所定温度（７５℃）に沸き上げられる。なお、タンク給水口１０とタンク出湯口１１とは、貯湯タンク９を正面から見たときに左右方向に離れた対角線上に配置されているので、タンク給水口１０から導入された水がタンク出湯口１１へ上下方向の最短距離で至ること（ショートカット）がなく、貯湯タンク内で充分に加熱されてから出湯されるため出湯性能を向上させることができる。
【００２６】
また、貯湯式電気温水器３は、凍結防止等のために貯湯タンク９内のお湯を抜く際に開く排水栓２３を備え、その時に外部から空気を取り込むために開く吸気栓２２をも備える。
【００２７】
ここで、図７をもとに、電気温水器の動作を説明する。
水栓１に設けられた水栓操作盤２６の湯水切り替えスイッチ（図示しない）を「水吐水」へ設定している場合は、水栓１の光電センサー２０で手を検知した際、貯湯式電気温水器３内の水側電磁弁１４のみが動作してバイパス給水管３１を通って出湯接続口１５に供給された水が水栓１から吐出される。
【００２８】
または、水栓１に設けられた水栓操作盤２６の「湯水切り替えスイッチ（図示しない）」を「湯吐水」へ設定している場合は、水栓１の光電センサー２０で手を検知した際、貯湯式電気温水器３内の湯側電磁弁１９のみが動作する。その際、図７に示すように、混合バルブ１７へは湯側電磁弁１９とタンク給水口１０の間より分岐した混合給水管３０を通った水も供給されており、逆止弁１６からの湯と混合され、例えば３６℃の適温のお湯が出湯接続口１５へと導出され、水栓１から適温のお湯が吐出される。この時、温度調節ダイヤル２５にて混合バルブ１７における湯と水の混合割合を変えることにより出湯温度を微調節することができる。
【００２９】
なお、夏場等でお湯の必要のない場合は、貯湯式電気温水器３に設けられた電気温水器操作盤２４の「沸き上げ運転スイッチ（図示しない）」を「切」にしておくことで、お湯を沸かなくすることができる。
【００３０】
また、図６に示すように、筐体２７内で貯湯タンク９の偏平している長軸ｃは、筐体２７の前後方向に対して前側にα度（約１０度）傾斜している構造としている。
【００３１】
このように貯湯タンク９を傾斜させることにより、貯湯タンク９の上方には、貯湯タンク９の上部と筐体２７の上面２７ａの内側面との間に形成される空間と連続して筐体２７の後面２７ｄの内側面に沿って下方に楔状に延びる上部楔状空間Ｕ１が形成される。また、貯湯タンク９の下方には、貯湯タンク９の下部と筐体２７の下面２７ｂの内側面との間に形成される空間と連続して筐体２７の前面２７ｃの内側面に沿って上方に楔状に延びる下部楔状空間Ｌ１が形成される。このように、貯湯タンク９の上下には、大きな楔状の空間が設けられている。
【００３２】
そして、貯湯タンク９の上方の上部楔状空間Ｕ１に逆止弁１６、混合バルブ１７、出湯接続口１５から構成される給湯経路の少なくとも一部を配置するとともに、貯湯タンク９の下方の下部楔状空間Ｌ１に給水接続口１２、逆止弁１３、湯側電磁弁１９から構成される給水経路の少なくとも一部を配置している。なお、下部楔状空間Ｌ１には水側電磁弁１４や排水栓２３も配置している。また、上部楔状空間Ｕ１には吸気栓２２も配置している。
【００３３】
以上のように、貯湯タンク９の上部及び下部に、上部楔状空間Ｕ１と下部楔状空間Ｌ１の二つの大きな楔状空間を設けることができ、この楔状空間にサイズの大きな給水接続口１２と出湯接続口１５の部品の少なくとも一部を収納するとともに、給水関係の部品（給水接続口１２、逆止弁１３、水側電磁弁１４、湯側電磁弁１９、排水栓２３）を下部楔状空間Ｌ１に、出湯関係の部品（逆止弁１６、混合バルブ１７、出湯接続口１５、吸気栓２２）を上部楔状空間Ｕ１に配置していることで、給水、給湯の各部品を貯湯タンク９の上下の空間に振り分けて集約して配置することにより、給水，給湯夫々の内部配管の長さを短くすることができ、筺体２７のサイズを小さくすることが可能となった。
【００３４】
また、図８は、本発明を適用した貯湯式電気温水器の給水接続口及び出湯接続口の動作を示す正面図であり、給水接続口１２を筺体２７の下部に、出湯接続口１５を筺体２７の上部に備えるとともに、給水接続口１２及び出湯接続口１５は筐体８の正面側から操作して、その正面と平行な領域で回動可能な構造としており、出湯接続口１５の出湯配管接続部２８及び給水接続口１２の給水配管接続部２９の方向を自由に変えることができる。従って、貯湯式電気温水器３がコンパクトであることと相俟って施工に必要なスペースを小さくすることができるので、施工性を確保しつつ、隣り合う洗面器２の間隔が狭くても設置可能な電気温水器を提供することができる。
【００３５】
図９は、本発明を適用した貯湯式電気温水器の第２の施工態様を示す正面図であり、出湯接続口１５をその出湯配管接続部２８が上方を向くように、給水接続口１２をその給水配管接続部２９が左側を向くように回転させたものであり、貯湯式電気温水器３を壁掛式洗面器２の右側へ設置した事例である。
【００３６】
図１０は、本発明を適用した貯湯式電気温水器の第３の施工態様を示す正面図であり、出湯接続口１５をその出湯配管接続部２８が上方を向くように、給水接続口１２をその給水配管接続部２９が下方を向くように回転させたものであり、貯湯式電気温水器３を壁掛式洗面器２の左側へ設置するとともに、止水栓６を貯湯式電気温水器３の下方に設置した事例である。
【００３７】
このように、洗面器２や止水栓６の制約を受けることが少なくなり、洗面器に向かって左側への設置や右側への設置が自由にできるとともに、外部給水配管５や外部出湯配管４の長さを最短とすることが可能となる。
【００３８】
従って、貯湯式電気温水器の更なるコンパクト化が実現できるとともに、施工スペースを最小とすることができるので、施工性を確保しつつ、洗面器間の間隔が狭くても設置可能な電気温水器を提供することができる。
【００３９】
なお、本実施例では、図６において貯湯タンクの上部が前方へ、下部が後方へ傾斜しているが、筺体２７の内部に収納する部品のサイズや部品配置に応じてこの逆の傾斜でもよい。
【符号の説明】
【００４０】
１…水栓
２…壁掛式洗面器
３…貯湯式電気温水器
４…外部出湯配管
５…外部給水配管
６…止水栓
７…センサーコード
８…電源コード
９…貯湯タンク
１０…タンク給水口
１１…タンク出湯口
１２…給水接続口
１３…逆止弁
１４…水側電磁弁
１５…出湯接続口
１６…逆止弁
１７…混合バルブ
１８…ヒーター
１９…湯側電磁弁
２０…光電センサー
２１…電源コンセント
２２…吸気栓
２３…排水栓
２４…電気温水器操作盤
２５…温度調節ダイヤル
２６…水栓操作盤
２７…筺体
２８…出湯配管接続部
２９…給水配管接続部
３０…混合給水管
３１…バイパス給水管
Ｌ１…下部楔状空間
Ｕ１…上部楔状空間
Ｆ…床面
Ｗ…立壁面
【図１】
0005614719.tif 000002
【図２】
0005614719.tif 000003
【図３】
0005614719.tif 000004
【図４】
0005614719.tif 000005
【図５】
0005614719.tif 000006
【図６】
0005614719.tif 000007
【図７】
0005614719.tif 000008
【図８】
0005614719.tif 000009
【図９】
0005614719.tif 000010
【図１０】
0005614719.tif 000011